【手続補正書】
【提出日】平成19年9月13日(2007.9.13)
【手続補正１】
【補正対象書類名】特許請求の範囲
【補正対象項目名】全文
【補正方法】変更
【補正の内容】
【特許請求の範囲】
【請求項１】
メダルを受け入れるメダル受入手段と、
該メダル受入手段が受け入れたメダルをプレイフィールド内に投入するメダル投入器と、
該プレイフィールド内に設けられ、上面に多数のメダルを載置するメダル載置台と、
該メダル載置台上のメダルが落下するためのメダル落下溝と、
該メダル載置台上のメダルを該メダル落下溝に向かって押す方向に、該メダル載置台の上面に沿って往復移動する台と、
該メダル載置台上のメダルが該往復移動する台によって押されて該メダル落下溝に落下することを条件に、メダルを払い出すメダル払出手段とを備えたプッシャーゲーム機において、
互いに異なる複数の動作モードのうちのいずれかで第１ゲームを進行する第１ゲーム進行手段と、
互いに異なる複数の動作モードのうちのいずれかで第２ゲームを進行する第２ゲーム進行手段と、
所定のモード切換条件が満たされたとき、該第１ゲーム進行手段の動作モードを切り換えるとともに、該第２ゲーム進行手段の動作モードも切り換える動作モード切換手段とを有し、
上記第１ゲーム進行手段は、複数の当選確率データの中から選択された当選確率データを用いる複数の動作モードのうちのいずれかで、コンピュータプログラムを実行することにより当選か否かを決定する第１抽選ゲームを行うものであり、
上記動作モード切換手段は、上記複数の当選確率データにそれぞれ対応する複数のモード切換条件のうちの１つを満たすものであるとき、該第１ゲーム進行手段の動作モードを、対応する当選確率データを用いる動作モードに切り換えるとともに、上記第２ゲーム進行手段の動作モードも、対応する動作モードに切り換えることを特徴とするプッシャーゲーム機。
【請求項２】
請求項１のプッシャーゲーム機において、
上記所定のモード切換条件は、上記第１ゲームで所定のゲーム結果が得られたことであることを特徴とするプッシャーゲーム機。
【請求項３】
請求項１又は２のプッシャーゲーム機において、
上記第２ゲーム進行手段は、当選確率が互いに異なる複数の動作モードのいずれかで第２抽選ゲームを進行するものであり、
上記動作モード切換手段は、上記対応する当選確率データにより決定される当選確率が高ければ高いほど、該第２ゲーム進行手段の動作モードを該第２抽選ゲームの当選確率が高い動作モードに切り換えることを特徴とするプッシャーゲーム機。
【請求項４】
請求項１又は２のプッシャーゲーム機において、
上記第２ゲーム進行手段は、当選確率が互いに異なる複数の動作モードのいずれかで第２抽選ゲームを進行するものであることを特徴とするプッシャーゲーム機。
【請求項５】
請求項３又は４のプッシャーゲーム機において、
上記第２ゲーム進行手段は、抽選用移動物体が入り得る所定の当選口を形成する当選口形成部材と、該抽選用移動物体を該所定の当選口に向けて供給する供給手段とを有し、該供給手段により供給した該抽選用移動物体が該所定の当選口に入るか否かによって当選か否かを決定するという第２抽選ゲームを進行するものであることを特徴とするプッシャーゲーム機。
【請求項６】
請求項５のプッシャーゲーム機において、
上記第１ゲームの結果に応じて上記プレイフィールド内に上記抽選用移動物体を投入する物体投入手段を有し、
上記供給手段は、該物体投入手段により供給された抽選用移動物体を上記所定の当選口に向けて供給するものであることを特徴とするプッシャーゲーム機。
【請求項７】
請求項１、２、３、４、５又は６のプッシャーゲーム機において、
上記メダル載置台から上記メダル落下溝へ落下したメダルを検知する検知手段とを有し、
上記第１ゲーム進行手段は、該検知手段がメダルを検知することを条件に上記第１ゲームを開始することを特徴とするメダル遊技機。
【請求項８】
互いに異なる複数の当選確率をそれぞれ決定するための複数の当選確率データの中から選択された当選確率データをそれぞれ用いる複数の動作モードのうちのいずれかで、コンピュータプログラムを実行することにより当選か否かを決定する第１抽選ゲームを進行する第１ゲーム進行手段と、
当選確率が互いに異なる複数の動作モードのうちのいずれかで、抽選用移動物体を移動させて該抽選用移動物体が所定の当選条件を満たすか否かにより当選か否かを決定する第２抽選ゲームを進行する第２ゲーム進行手段とを有するゲーム機において、
所定のモード切換条件が満たされたとき、上記第１ゲーム進行手段の動作モードを切り換えるとともに、上記第２ゲーム進行手段の動作モードも切り換える動作モード切換手段を有し、
該動作モード切換手段は、上記複数の当選確率データにそれぞれ対応する複数のモード切換条件のうちの１つを満たすものであるとき、該第１ゲーム進行手段の動作モードを、対応する当選確率データを用いる動作モードに切り換えるとともに、上記第２ゲーム進行手段の動作モードも、対応する動作モードに切り換えることを特徴とするゲーム機。
【請求項９】
請求項８のゲーム機において、
上記第２ゲーム進行手段は、上記抽選用移動物体が所定の得点加算条件を満たすと、満たした得点加算条件に応じた得点を累積加算し、累積加算された値が規定値に達するという当選条件を満たすか否かによって当選か否かを決定するという第２抽選ゲームを進行するものであって、該所定の得点加算条件に応じて累積加算される得点値が互いに異なる複数の動作モードのうちのいずれかで、該第２抽選ゲームを進行するものであることを特徴とするゲーム機。
【手続補正２】
【補正対象書類名】明細書
【補正対象項目名】０００７
【補正方法】変更
【補正の内容】
【０００７】
上記第１の目的を達成するために、請求項１の発明は、メダルを受け入れるメダル受入手段と、該メダル受入手段が受け入れたメダルをプレイフィールド内に投入するメダル投入器と、該プレイフィールド内に設けられ、上面に多数のメダルを載置するメダル載置台と、該メダル載置台上のメダルが落下するためのメダル落下溝と、該メダル載置台上のメダルを該メダル落下溝に向かって押す方向に、該メダル載置台の上面に沿って往復移動する台と、該メダル載置台上のメダルが該往復移動する台によって押されて該メダル落下溝に落下することを条件に、メダルを払い出すメダル払出手段とを備えたプッシャーゲーム機において、互いに異なる複数の動作モードのうちのいずれかで第１ゲームを進行する第１ゲーム進行手段と、互いに異なる複数の動作モードのうちのいずれかで第２ゲームを進行する第２ゲーム進行手段と、所定のモード切換条件が満たされたとき、該第１ゲーム進行手段の動作モードを切り換えるとともに、該第２ゲーム進行手段の動作モードも切り換える動作モード切換手段とを有し、上記第１ゲーム進行手段は、複数の当選確率データの中から選択された当選確率データを用いる複数の動作モードのうちのいずれかで、コンピュータプログラムを実行することにより当選か否かを決定する第１抽選ゲームを行うものであり、上記動作モード切換手段は、上記複数の当選確率データにそれぞれ対応する複数のモード切換条件のうちの１つを満たすものであるとき、該第１ゲーム進行手段の動作モードを、対応する当選確率データを用いる動作モードに切り換えるとともに、上記第２ゲーム進行手段の動作モードも、対応する動作モードに切り換えることを特徴とするものである。
このプッシャーゲーム機においては、所定のモード切換条件が満たされると、第１ゲーム進行手段の動作モードとともに、第２ゲーム進行手段の動作モードも切り換わる。各ゲーム進行手段の動作モードが切り換われば各ゲームの動作内容が変更され、各ゲームの進行内容が変わる。したがって、本プッシャーゲーム機によれば、所定のモード切換条件が満たされると、第１ゲームの進行内容と、第２ゲームのゲーム進行内容の両方が変わる。これにより、互いに異なる２つのゲーム（第１ゲームと第２ゲーム）間の関連性が、従来のプッシャーゲーム機に比べて高まる。
また、このプッシャーゲーム機においては、複数のモード切換条件のうちの１つが満たされると、いわゆるコンピュータ抽選ゲームである第１抽選ゲームで用いられる当選確率データが変わるだけでなく、第２ゲームの動作モードも切り換わる。したがって、本プッシャーゲーム機によれば、複数のモード切換条件のうちの１つが満たされると、第１抽選ゲームの当選確率を変えるだけでなく、第２ゲームのゲーム進行内容も変えることができる。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】
また、請求項３の発明は、請求項１又は２のプッシャーゲーム機において、上記第２ゲーム進行手段は、当選確率が互いに異なる複数の動作モードのいずれかで第２抽選ゲームを進行するものであり、上記動作モード切換手段は、上記対応する当選確率データにより決定される当選確率が高ければ高いほど、該第２ゲーム進行手段の動作モードを該第２抽選ゲームの当選確率が高い動作モードに切り換えることを特徴とするものである。
このプッシャーゲーム機において、上記第２ゲームは、当選確率が互いに異なる複数の動作モードのいずれかで進行される第２抽選ゲームである。そして、複数のモード切換条件のうち１つが満たされて、第１抽選ゲームの当選確率が高まれば高まるほど、高い当選確率の動作モードで第２抽選ゲームが進行される。すなわち、第１抽選ゲームの当選確率が高くなれば、第２抽選ゲームの当選確率も高くなる。これにより、第１抽選ゲームの当選確率が高くなるためのモード切換条件が満たされることの遊技者の期待感を、単に第１抽選ゲームの当選確率が高くなるだけの場合に比べて高めることができる。
【手続補正５】
【補正対象書類名】明細書
【補正対象項目名】００１１
【補正方法】変更
【補正の内容】
【００１１】
また、請求項４の発明は、請求項１又は２のプッシャーゲーム機において、上記第２ゲーム進行手段は、当選確率が互いに異なる複数の動作モードのいずれかで第２抽選ゲームを進行するものであることを特徴とするものである。
このプッシャーゲーム機において、上記第２ゲームは、当選確率が互いに異なる複数の動作モードのいずれかで進行される第２抽選ゲームである。したがって、所定のモード切換条件が満たされると、第１ゲームの進行内容が変わるとともに、第２抽選ゲームの当選確率が変わる。
【手続補正６】
【補正対象書類名】明細書
【補正対象項目名】００１２
【補正方法】変更
【補正の内容】
【００１２】
また、請求項５の発明は、請求項３又は４のプッシャーゲーム機において、上記第２ゲーム進行手段は、抽選用移動物体が入り得る所定の当選口を形成する当選口形成部材と、該抽選用移動物体を該所定の当選口に向けて供給する供給手段とを有し、該供給手段により供給した該抽選用移動物体が該所定の当選口に入るか否かによって当選か否かを決定するという第２抽選ゲームを進行するものであることを特徴とするものである。
上述したコンピュータ抽選ゲームは、コンピュータプログラムの実行により当選か否かが決定されるので、大がかりな設備は不要であるという利点はあるものの、当選確率が変わったことについて遊技者の信頼を得にくいという欠点がある。これに対し、上記物理抽選ゲームは、大がかりな設備が必要であるという欠点はあるものの、コンピュータ抽選ゲームに比べて当選確率が変わったことについての遊技者の信頼を得やすいという利点がある。
本プッシャーゲーム機では、所定のモード切換条件が満たされると当選確率が変わる第２抽選ゲームとして、供給手段により供給した抽選用移動物体が所定の当選口に入るか否かによって当選か否かを決定するという、いわゆる物理抽選ゲームを採用する。よって、コンピュータ抽選ゲームを採用する場合に比べ、第２抽選ゲームの当選確率が変わったことについての遊技者の信頼を得やすい。
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】変更
【補正の内容】
【００１４】
また、請求項６の発明は、請求項５のプッシャーゲーム機において、上記第１ゲームの結果に応じて上記プレイフィールド内に上記抽選用移動物体を投入する物体投入手段を有し、上記供給手段は、該物体投入手段により供給された抽選用移動物体を上記所定の当選口に向けて供給するものであることを特徴とするものである。
このプッシャーゲーム機においては、第１ゲームと第２抽選ゲームとの間に、その第１ゲームの結果がその第２抽選ゲームの開始条件の１つであるという関連性を付加することができる。
【手続補正９】
【補正対象書類名】明細書
【補正対象項目名】００１５
【補正方法】変更
【補正の内容】
【００１５】
また、請求項７の発明は、請求項１、２、３、４、５又は６のプッシャーゲーム機において、上記メダル載置台から上記メダル落下溝へ落下したメダルを検知する検知手段とを有し、上記第１ゲーム進行手段は、該検知手段がメダルを検知することを条件に上記第１ゲームを開始することを特徴とするものである。
このプッシャーゲーム機においては、メダル載置台からメダル落下溝へ落下したメダルが検知手段により検知されると、第１ゲームが開始される。これにより、遊技者は、メダルをメダル落下溝へ落下させることにより、メダルを獲得できるとともに、第１ゲームを行うことができる。
【手続補正１０】
【補正対象書類名】明細書
【補正対象項目名】００１６
【補正方法】変更
【補正の内容】
【００１６】
上記第２の目的を達成するために、請求項８の発明は、互いに異なる複数の当選確率をそれぞれ決定するための複数の当選確率データの中から選択された当選確率データをそれぞれ用いる複数の動作モードのうちのいずれかで、コンピュータプログラムを実行することにより当選か否かを決定する第１抽選ゲームを進行する第１ゲーム進行手段と、当選確率が互いに異なる複数の動作モードのうちのいずれかで、抽選用移動物体を移動させて該抽選用移動物体が所定の当選条件を満たすか否かにより当選か否かを決定する第２抽選ゲームを進行する第２ゲーム進行手段とを有するゲーム機において、所定のモード切換条件が満たされたとき、上記第１ゲーム進行手段の動作モードを切り換えるとともに、上記第２ゲーム進行手段の動作モードも切り換える動作モード切換手段を有し、該動作モード切換手段は、上記複数の当選確率データにそれぞれ対応する複数のモード切換条件のうちの１つを満たすものであるとき、該第１ゲーム進行手段の動作モードを、対応する当選確率データを用いる動作モードに切り換えるとともに、上記第２ゲーム進行手段の動作モードも、対応する動作モードに切り換えることを特徴とするものである。
このゲーム機においては、所定のモード切換条件が満たされると、いわゆるコンピュータ抽選ゲームである第１抽選ゲームの当選確率が変わるとともに、いわゆる物理抽選ゲームである第２抽選ゲームの当選確率も変わる。これにより、コンピュータ抽選ゲームと物理抽選ゲームとの関連性が、従来のゲーム機に比べて高まる。
また、このゲーム機においては、複数のモード切換条件のうちの１つが満たされると、第１抽選ゲームで用いられる当選確率データが変わるだけでなく、第２抽選ゲームの動作モードも切り換わる。したがって、本ゲーム機によれば、複数のモード切換条件のうちの１つが満たされると、第１抽選ゲームの当選確率を変えるだけでなく、第２抽選ゲームのゲーム進行内容も変えることができる。
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】変更
【補正の内容】
【００１９】
また、請求項９の発明は、請求項８のゲーム機において、上記第２ゲーム進行手段は、上記抽選用移動物体が所定の得点加算条件を満たすと、満たした得点加算条件に応じた得点を累積加算し、累積加算された値が規定値に達するという当選条件を満たすか否かによって当選か否かを決定するという第２抽選ゲームを進行するものであって、該所定の得点加算条件に応じて累積加算される得点値が互いに異なる複数の動作モードのうちのいずれかで、該第２抽選ゲームを進行するものであることを特徴とするものである。
このゲーム機において、第２ゲーム進行手段が進行する第２抽選ゲームは、抽選用移動物体が所定の得点加算条件を満たすと、満たした得点加算条件に応じた得点が累積加算され、その累積加算された値が規定値に達するという当選条件を満たすか否かによって当選か否かが決定されるというものである。そして、動作モード切換手段により動作モードが切り換えられて、その所定の得点加算条件に応じて累積加算される得点値が変わることで、第２抽選ゲームの当選確率が変わる。
【手続補正１４】
【補正対象書類名】明細書
【補正対象項目名】００２０
【補正方法】変更
【補正の内容】
【００２０】
請求項１乃至７の発明によれば、互いに異なる２つのゲームを進行する従来のプッシャーゲーム機に比べて、それらのゲーム間の関連性が高まるので、優れたゲーム性が付加されたプッシャーゲーム機を提供できるという優れた効果が奏される。しかも、複数のモード切換条件のうちの１つが満たされると、いわゆるコンピュータ抽選ゲームである第１抽選ゲームの当選確率が変わるだけでなく、第２ゲームのゲーム進行内容も変わるという新たなゲーム性を提供し得るという優れた効果も奏される。
特に、請求項２の発明によれば、第１ゲームの結果に応じて第２ゲームの進行内容が変わるという新たなゲーム性を提供し得るプッシャーゲーム機を提供できるという優れた効果が奏される。
また、請求項３の発明によれば、第１抽選ゲームの当選確率が高くなると第２抽選ゲームの当選確率も高くなるという、第１抽選ゲームと第２抽選ゲームの当選確率に高い関連性が生まれ、プッシャーゲーム機に優れたゲーム性を付加できるという優れた効果が奏される。
また、請求項４の発明によれば、第１ゲームと第２抽選ゲームとの間に、第１ゲームの進行内容が変わると第２抽選ゲームの当選確率が変わるという高い関連性が生まれ、プッシャーゲーム機に優れたゲーム性を付加できるという優れた効果が奏される。
また、請求項５の発明によれば、第２抽選ゲームとしてコンピュータ抽選ゲームを採用する場合に比べて、第２抽選ゲームの当選確率が変わったことについての遊技者の信頼を得やすく、信頼性の高いゲームを提供できるという優れた効果が奏される。
また、請求項６の発明によれば、第１ゲームと第２抽選ゲームとの間に、第１ゲームの結果が第２抽選ゲームの開始条件の１つとなるという関連性も付加でき、プッシャーゲーム機に更に優れたゲーム性を付加できるという優れた効果が奏される。
また、請求項７の発明によれば、メダルをメダル落下溝へ落下させることにより、メダルを獲得できるというプッシャーゲーム本来の特典のほか、第１ゲームを行うことができるという特典も遊技者に与えることができるという優れた効果が奏される。
請求項８及び９の発明によれば、コンピュータ抽選ゲームと物理抽選ゲームとを進行する従来のゲーム機に比べて、それらの抽選ゲーム間の関連性が高まるので、優れたゲーム性が付加されたゲーム機を提供できるという優れた効果が奏される。しかも、複数のモード切換条件のうちの１つが満たされると、コンピュータ抽選ゲームの当選確率が変わるだけでなく、物理抽選ゲームのゲーム進行内容も変わるという新たなゲーム性を提供し得るという優れた効果も奏される。
特に、請求項９の発明によれば、所定の得点加算条件に応じて累積加算される得点値を変えることで、物理抽選ゲームの当選確率を変えることができるという優れた効果が奏される。